(57)【要約】  保護システムは、器具の本体部１２に解放可能に取り付けるフランジ２４を基端部にもつ器具のノズル部２０を含む。器具に固定されるか又は固定可能なキャップ部材３０，４０は、開口部３２，５０をもち、これは、フランジに対して、ノズルがフランジではなくこれを通って延在し得るように構成され、従って、キャップ部材が前記器具に動作可能に固定されるときには、ノズルは、圧縮ガスの力に基づき前記器具から分離して外れることを阻止される。
2011506026.tif 000002
【特許請求の範囲】
【請求項１】
圧縮ガス口腔クリーニング器具のための保護システムであって、
前記器具の本体部に解放可能に取り付けるためのフランジを基端部にもつ前記器具のノズル部と、
前記器具に固定されるか又は固定可能なキャップ部材であって、前記ノズル部の前記フランジに対して、前記キャップ部材が前記器具に動作可能に固定されるときには前記ノズル部が圧縮ガスの力に基づき前記器具から分離して外れることが阻止されるように、前記ノズル部が開口部を通って延在することを可能にする開口部をもつキャップ部材とを有する、保護システム。
【請求項２】
前記キャップ部材は、前記器具から少なくとも部分的に除去可能であり、それ故、前記ノズル部の便利な除去又は交換を可能にする、請求項１に記載の保護システム。
【請求項３】
前記キャップ部材は、前記器具に対してねじ込み可能である、請求項２に記載の保護システム。
【請求項４】
前記キャップ部材は、前記器具の構成と審美的に互換性があるように構成される、請求項１に記載の保護システム。
【請求項５】
前記キャップ部材は、前記器具の一方部分とヒンジ部により、及び、前記器具の他方部分と解放可能なクリップにより固定された蓋部を有する、請求項１に記載の保護システム。
【請求項６】
前記解放可能なクリップは、前記器具の動作を可能にするために前記器具内のバルブに係合する系止要素を含む、請求項５に記載の保護システム。
【請求項７】
前記フランジは、前記器具の本体部に固定するための一方の部分と、前記ノズルが前記キャップ部材の前記開口部を介して前記器具から分離するのを阻止するように構成された他方の大きな部分とを含む、請求項１に記載の保護システム。
【請求項８】
前記キャップ部材は、前記キャップ部材の内部ボリューム内の任意の収容されたガスの解放のための通気孔を含む、請求項１に記載の保護システム。
【請求項９】
前記クリーニング器具は、歯間クリーニング器具である、請求項１に記載の保護システム。
【請求項１０】
保護システムを備えた圧縮ガス口腔クリーニング器具であって、
歯間エリアを含む歯をクリーニングするための液滴のストリームを生成する圧縮ガス口腔クリーニング器具であって、前記器具の本体部に解放可能に取り付けるためのフランジを基端部にもつノズル部を含む圧縮ガス口腔クリーニング器具と、
前記器具に固定されるか又は固定可能なキャップ部材であって、前記ノズル部の前記フランジに対して、前記キャップ部材が前記器具に動作可能に固定されるときには前記ノズル部が圧縮ガスの力に基づき前記器具から分離して外れることが阻止されるように、前記ノズル部がフランジではなく開口部を通って延在することを可能にするが開口部をもつキャップ部材とを有する、保護システム。
【請求項１１】
前記キャップ部材は、前記器具から少なくとも部分的に除去可能であり、それ故、前記ノズルの便利な除去又は交換を可能にする、請求項１０に記載の保護システム。
【発明の詳細な説明】
【技術分野】
【０００１】
この発明は、概して、圧縮ガスを用いる歯間クリーニング器具に関し、より詳細には、器具の使用中に器具のノズル部分が非意図的に分離して器具の残りの部分から離れることを阻止することに関する。
【背景技術】
【０００２】
圧縮ガスのソースを組み込む歯間クリーニング器具は、典型的には、液滴の高速ストリームを生成するためにガスを用いる。液滴は、器具の延在されたノズル部分を通って、選択された歯間エリアに送られる。ノズルが器具の残りの部分にしっかりと固定されていない場合には、圧縮ガスの圧力下でノズルが推し外される可能性があり、ユーザ並びに近くの他の者及び／又は物に対して損傷を与える。ノズルと器具の残りの部分との間の確実な接続の不足は、摩擦等により接続部分が傷つけられること、又は、ユーザにより非意図的に緩むことに起因するものである。
【発明の概要】
【発明が解決しようとする課題】
【０００３】
それ故、ノズルが圧縮ガスの力に基づき器具の残りの部分から分離することを阻止するように構造化されるか又は関連付けられた構造をもつ歯間クリーニング器具が望ましい。
【課題を解決するための手段】
【０００４】
従って、圧縮ガス口腔クリーニング器具のためのシステムが開示され、これは、前記器具の本体部に解放可能に取り付けるためのフランジを基端部にもつ前記器具のノズル部と、前記器具に固定されるか又は固定可能であり、前記ノズル部の前記フランジに対して、前記ノズル部が開口部を通って延在することを可能にする開口部をもつキャップ部材とを有し、前記キャップ部材が前記器具に動作可能に固定されるときには、前記ノズル部は、圧縮ガスの力に基づき前記器具から分離して外れることが阻止される。
【図面の簡単な説明】
【０００５】
【図１】圧縮ガス歯間クリーニング器具の残りからノズルが分離するのを阻止するためのシステムの一実施形態の分解図及び部分的に正面図である。
【図２】圧縮ガス歯間クリーニング器具の残りからノズルが分離するのを阻止するためのシステムの一実施形態の分解図及び部分的に正面図である。
【図３】図１に示されたものの代替実施形態を示す斜視図である。
【発明を実施するための形態】
【０００６】
図１及び図２は、ノズル保護アセンブリの一実施形態を示す。圧縮ガスを用いた口、特に歯間のクリーニング器具の一例は、概ね１０で示される。この例において、器具１０は、本体部１２を含み、これは、圧縮ガスのソース１６及び液滴発生部１８を含む。制御ボタン１９がユーザにより操作されるときには、液滴の高速ストリームが生成され、本体部１２からノズルアセンブリ２０を通って歯間エリアに向けられる。圧縮ガスは、液滴を高速で推進させる。器具１０は、様々な歯間クリーニングデバイスをもつ、様々な構成及び命令をもつ。本ノズル保護アセンブリは、ノズルが器具の本体に適切に固定されていない場合に、ノズルの分離、即ち器具の残りの部分から高速に推し外れて、ユーザ又は付近の他の者若しくは物に対して損傷を与える危険性が存在する、圧縮ガスのソースを含むこれらのオーラルケア器具に役立つ。
【０００７】
本装置において、ノズル２０は、特定の構造、詳細には、ノズルのベース（基端部）にフランジ部２４をもつ。典型的には、ノズル２０は、フランジ部から外方に延在し、歯間クリーニングの使用ために湾曲して終端するが、斯様な構造は必須ではない。ノズル２０は、その先端部に、歯間スペースにおけるノズルの位置決めを補助するためにガイダンスチップ（図示省略）を含む。器具は、歯の前面をクリーニングするために用いられてもよい。フランジ２４は、ベース部分２６を含み、これは、その外周の周りにおいて本体部１２の出口端部２７と結合する。また、フランジ２４は、ベース部分２６よりも僅かに大きな直径である隣接部分２８を含む。保護アセンブリは、キャップ部材３０を更に含み、キャップ部材３０は、その上端部に開口部３２をもつ。開口部３２は、ノズルパイプ３３がこれを通って延在することを可能にするほど大きいが、フランジの部分２８が開口部より大きくなるようなほど小さく、これにより、ノズルがキャップ３０を介して外れるのを阻止する。
【０００８】
一実施形態において、キャップ３０は、切頂錐体（truncated cone）の形であり、この形状は、本体部１２と結合又は統合するように設計される。勿論、他の形状が同様に用いられてもよい。更に、本体部にマッチするように構成されるキャップ部材３０が美的である一方で、これは、キャップ部材の適切な動作のために必須ではない。一実施形態において、キャップ３０は、ねじ山がつけられ、本体部１２の端部のねじ山と結合する。キャップ３０が本体部にねじ込まれたときには、どんな理由であれノズルと本体部との間に確実なアタッチメントが存在しない事象において、ノズル２０は、本体部から推し外されるのを阻止される。示された装置において、フランジ２４は、キャップ部材及び本体部に対して、キャップ部材が本体部１２に完全にねじ込まれたときに、ノズルのフランジ２４が本体部の端部に堅く着座され、フランジの隣接部分２８の下面３９が本体部の出口端部２７に対して着座されるように構成される。それ故、キャップが本体部にねじ込まれる限りは、ノズルは、本体部に対して固定され、ノズルが器具の本体部から分離されるか又は飛び去る（外れる）という危険性がなくなる。
【０００９】
必要に応じて、キャップ部材と器具の本体との間にプラスチックロープ（plastic tether）のようなコネクタを追加することにより追加の固定手段が含まれてもよい。また、キャップ部材は、キャップ部材の内部ボリューム内の任意の収容されたガスの解放のための１又はそれ以上の通気孔を含んでもよい。
【００１０】
図３は、ノズル保護アセンブリの他の実施形態を示している。この実施形態は、ヒンジのようなピボット要素４２により器具本体４４の先端部に固定される蓋部４０を含む。ノズル４５は、器具の残りの部分に取り付けられる。蓋部４０は、ヒンジ４２の周りを自由に回転できるが、器具本体から完全に分離されない。蓋部４０は、本実施形態においては平坦であり、典型的にはプラスチック又は金属から作られる。蓋部の反対端部は、器具本体に対して蓋を系止する系止要素４７を含むクリップ４６である。この位置において、蓋部は、器具の軸に対して約９０°の角度で器具本体の端部に渡って延在する。
【００１１】
クリップ４６が系止位置にあるときには、ノズル４５は、器具の本体と確実に結合される。また、蓋部４０は、図１の実施形態のようなそのベースフランジ部分ではない、ノズルが開口部を通って延在することを可能にする開口部５０をもつ。クリップが系止されるときには、ノズル４５は、圧縮ガスの力に起因して別の方法で生ずるかもしれないような、器具から推し外れることが阻止される。図２の変形例において、ノズル４５は、ねじ込み接続又は摩擦フィットにより本体部分と別々に確実に係合可能であってもよい。ノズルを除去するために、クリップが解放され、蓋アセンブリは、ノズルが蓋部から除去され得るポイントまでヒンジ４２の周りを回転される。クリップ４６が緩む場合であっても、蓋部４０は、依然として器具の本体に取り付けられ、それ故、緩いノズルが器具から外れるのを依然として阻止する。
【００１２】
この実施形態において、蓋アセンブリ上の系止要素は、器具の本体内においてバルブ５２と係合するように構成され、これは、器具からの液滴の流れを制御する。バルブが系止部により係合されない限り、器具は動作不可能である。
【００１３】
ノズルが延在する開口部をもつキャップ部をもたらし、器具の動作の間又は圧縮ガスのソースが動作可能であるときにノズルが残りの器具から外れることを阻止するために、キャップが本体部と確実に係合可能であるか又は本体部に取り付けられる他の構成が可能であることが理解されるべきである。
【００１４】
本発明の好ましい実施形態が例示の目的のために開示されたが、種々の変更、修正及び置換は、特許請求の範囲に規定された本発明の精神から逸脱することなく、本実施形態に組み込まれ得ることが理解されるべきである。
【図１】
2011506026.tif 000003
【図２】
2011506026.tif 000004
【図３】
2011506026.tif 000005
【国際調査報告】
2011506026.tif 000006
2011506026.tif 000007
2011506026.tif 000008